(57)【要約】【課題】ストラップと、ラチェット機構及び爪の係合状態の解除をワンアクションで行い、かつその状態を維持する事ができ、ストラップの締め付け状態の解除、及び締め付け準備状態へのセットを迅速かつ容易に行う事のできるラチェットバックルを提供する。【解決手段】ストラップ３０の締め付け状態を調整するラチェットバックル１０であって、ストラップ３０の引き込みをガイドするベース１２と、送り面３２に対してストラップ３０を引き込む方向への係合を成すラチェットレバー１８を備えたラチェット機構１４と、送り面３２に係合して、ストラップ３０が戻る事を防止する爪２０と、送り面３２に対するラチェットレバー１８の係合を解除する事で、送り面３２に対する爪２０の係合も解除する解除機構２２と、ラチェットレバー１８と爪２０との係合解除状態を保持する解除保持機構２４と、を備えたことを特徴とする。【選択図】図１
2018094293.tif 000002
【特許請求の範囲】
【請求項１】
一方の面に鋸刃状の送り面を有するストラップの締め付け状態を調整するためのラチェットバックルであって、
前記ストラップの引き込みをガイドすると共に、前記ストラップの他方の面が押し付けられる受け面を構成するベースと、
前記送り面に対してストラップを引き込む第１の方向への係合を成すラチェットレバーを備えたラチェット機構と、
前記送り面に係合して、前記第１の方向と反対の第２の方向へ前記ストラップが戻る事を防止する爪と、
前記送り面に対する前記ラチェットレバーの係合を解除する事で、前記送り面に対する前記爪の係合も解除する解除機構と、
前記ラチェットレバーと前記爪との係合解除状態を保持する解除保持機構と、を備えたことを特徴とするラチェットバックル。
【請求項２】
前記解除機構は、
前記爪を構成し、回転軸と、前記回転軸周りに備えられて前記送り面に係合する係合部と、前記回転軸を基点として前記係合部と反対側に位置し、押圧により前記送り面から前記係合部と引き上げる解除部と、
前記ラチェット機構を構成し、引き上げ動作により前記解除部を押圧するスライド面を有するホルダと、を備えることを特徴とする請求項１に記載のラチェットバックル。
【請求項３】
前記解除保持機構は、
前記ラチェットレバーに設けられたストッパーと、
前記爪に設けられ、前記係合部が前記送り面から引き揚げられた際に前記ストッパーに係合するストッパー突起と、を備えることを特徴とする請求項２に記載のラチェットバックル。
【発明の詳細な説明】
【技術分野】
【０００１】
本発明は、ラチェット式のバックルに係り、特に、ソフトブーツ用のスノーボード等におけるビンディングのストラップを固定するために用いるラチェットバックルに関する。
【背景技術】
【０００２】
ビンディングのストラップを固定するために用いるラチェット式のバックルとしては、例えば特許文献１に開示されているものが知られている。特許文献１に開示されているラチェットバックルは、一方の面に鋸刃状の送り面が形成されたストラップの固定状態を調整するためのものであり、ベースと、ラチェット機構、爪、及び解除機構を基本として構成されるものである。
【０００３】
ベースは、ストラップの引き込みをガイドすると共に、ストラップの他方の面が押し付けられる受け面を備えている。また、ラチェット機構は、送り面に対して係合し、ストラップを送り出すラチェットレバーを備える機構である。また、爪は、送り面と係合すると共に、ストラップを受け面に押し付け、その戻りを防止する役割を担う。さらに解除機構は、送り面に対するラチェットレバーと爪の係合を解除するための機構である。
【先行技術文献】
【特許文献】
【０００４】
【特許文献１】実登３０５０４１６号公報
【発明の概要】
【発明が解決しようとする課題】
【０００５】
上記のような構成を備えたラチェットバックルによれば、ラチェット機構によるストラップの締め込み（送り出し）と、爪による締付状態の保持、及び解除機構による締付状態の解除を片手で容易かつ迅速に行う事ができる。
【０００６】
しかし、特許文献１に開示されているラチェットバックルでは、ストラップとラチェットバックルの係合を解除する際には、常に解除機構の作動状態を手動で維持していなければならい。解除機構の操作は、固定側の足と反対側の手により、体を捻った状態で成される事が一般的であり、操作状態を維持する時間が長くなると、体への負担も大きくなるといった問題がある。また、ストラップとラチェットバックルの係合を完全に解除した場合には、ベースに対するストラップの挿入口が、ラチェット機構により閉塞されてしまい、その位置が把握し辛くなるという問題も生じ得る。
【０００７】
本発明では、上記問題を解決し、ストラップと、ラチェット機構及び爪の係合状態の解除をワンアクションで行い、かつその状態を維持する事ができ、ストラップの締め付け状態の解除、及び締め付け準備状態へのセットを迅速かつ容易に行う事のできるラチェットバックルを提供する事を目的とする。
【課題を解決するための手段】
【０００８】
上記目的を達成するための本発明のラチェットバックルは、一方の面に鋸刃状の送り面を有するストラップの締め付け状態を調整するためのラチェットバックルであって、前記ストラップの引き込みをガイドすると共に、前記ストラップの他方の面が押し付けられる受け面を構成するベースと、前記送り面に対してストラップを引き込む第１の方向への係合を成すラチェットレバーを備えたラチェット機構と、前記送り面に係合して、前記第１の方向と反対の第２の方向へ前記ストラップが戻る事を防止する爪と、前記送り面に対する前記ラチェットレバーの係合を解除する事で、前記送り面に対する前記爪の係合も解除する解除機構と、前記ラチェットレバーと前記爪との係合解除状態を保持する解除保持機構と、を備えたことを特徴とする。
【０００９】
また、上記のような特徴を有するラチェットバックルにおいて、前記解除機構は、前記爪を構成し、回転軸と、前記回転軸周りに備えられて前記送り面に係合する係合部と、前記回転軸を基点として前記係合部と反対側に位置し、押圧により前記送り面から前記係合部と引き上げる解除部と、前記ラチェット機構を構成し、引き上げ動作により前記解除部を押圧するスライド面を有するホルダと、を備える構成とすることができる。
【００１０】
このような特徴を有するラチェットバックルによれば、ラチェット機構を構成するホルダを引き上げる動作のみで、ストラップの送り面に対するラチェットレバーと爪の係合状態を解除する事ができる。
【００１１】
さらに、上記のような特徴を有するラチェットバックルにおいて、前記解除保持機構は、前記ラチェットレバーに設けられたストッパーと、前記爪に設けられ、前記係合部が前記送り面から引き揚げられた際に前記ストッパーに係合するストッパー突起と、を備える構成とする事ができる。
【００１２】
このような特徴を有するラチェットバックルによれば、ラチェットレバーのストッパーに爪のストッパー突起が引っかかり、ストラップの送り面とラチェットレバーと爪の係合解除状態を維持する事ができる。
【発明の効果】
【００１３】
上記のような特徴を有するラチェットバックルによれば、ストラップと、ラチェット機構及び爪の係合状態の解除をワンアクションで行う事ができる。また、その解除状態を維持する事ができ、ストラップの締め付け状態の解除、及び締め付け準備状態へのセットを迅速かつ容易に行う事が可能となる。
【図面の簡単な説明】
【００１４】
【図１】実施形態に係るラチェットバックルと、このラチェットバックルに対応するストラップの構成を示す側断面図である。
【図２】実施形態に係るラチェットバックルの動きを説明するための側断面図である。
【図３】解除機構の主要な構成を示す側断面図である。
【図４】解除保持機構の主要な構成を示す側断面図である。
【図５】ラチェットバックルに対するストラップのセット、あるいは締付解除の状態を示す側断面図である。
【図６】ラチェットバックルを用いたストラップの締め付け動作を説明するための側断面図である。
【図７】ラチェットバックルによるストラップの締め付け維持状態を示す側断面図である。
【発明を実施するための形態】
【００１５】
以下、本発明のラチェットバックルに係る実施の形態について、図面を参照して詳細に説明する。なお、図１は、実施形態に係るラチェットバックルと、このラチェットバックルに対応するストラップの構成を示す側断面図である。また、図２は、実施形態に係るラチェットバックルの動きを説明するための側断面図である。また、図３、図４は、それぞれ、実施形態に係る解除機構と、解除保持機構の構成を示す図である。
【００１６】
また、以下の実施形態で説明するラチェットバックル１０は、１例として、図示しないソフトブーツ用のスノーボードのビンディングに適用する事に適しているが、締め付け、解除を必要とする種々の箇所への適用を可能とするものである。
【００１７】
［構造説明］
本実施形態に係るラチェットバックル１０は、一方の端部を固定されたストラップ３０を締め込む事で、その機能を成すものである。また、ストラップ３０は、少なくとも一方の面に図１に示すような鋸刃状の送り面３２を有するものとしている。また、ストラップ３０全体としての可撓性を備えつつ、鋸刃状の送り面３２は、詳細を後述するラチェット機構１４や爪２０の引っかかりを保持する事ができる剛性を持つように、樹脂等により構成されている。
【００１８】
本実施形態に係るラチェットバックル１０は、ベース１２と、ラチェット機構１４、爪２０、解除機構２２、及び解除保持機構２４を基本として構成されている。ベース１２は、上述したストラップ３０の引き込みをガイドすると共に、ストラップ３０の他方の面３４が押し付けられる受け面１２ａを有する。受け面１２ａを有する事で、爪２０やラチェット機構１４が送り面３２と係合した際に、ストラップ３０の逃げを抑える事ができ、ストラップ３０の引き込みや、ストラップ３０を締め付けた状態での維持が可能となる。
【００１９】
ラチェット機構１４は、ベース１２に沿ってストラップ３０を引き込む役割を担う要素であって、ベース１２におけるストラップ３０の挿入側に配置されている。ラチェット機構１４は、ホルダ１６と、ラチェットレバー１８を有する。ホルダ１６は、リンクアーム１６ａとホルダ本体１６ｂとを有する。ベース１２に対して揺動自在に係合されたリンクアーム１６ａが矢印ＤあるいはＣで示す方向（図２参照）へ揺動する事で、ベース１２の受け面に対してホルダ本体１６ｂが離間、あるいは近接するように上下させる事が可能となる。ラチェットレバー１８は、リンクアーム１６ａを介したホルダ本体１６ｂとの係合部（回転軸１８ａ）を基点として回動可能に支持されており、回転軸１８ａ周りには、送りギア１８ｂと、レバー本体１８ｃが備えられている。送りギア１８ｂは、回転軸１８ａを基点として、ストラップ３０の挿入側に設けられ、その歯は、ベース１２の後端側（ストラップ３０の送り出し側）に向けて掛かりを持つように形成されている。また、レバー本体１８ｃは、てこの原理により送りギア１８ｂによる送り力を高められるように、送りギア１８ｂよりも回転軸１８ａからの距離が長くなるように形成されている。
【００２０】
送りギア１８ｂは複数の歯を備えており、レバー本体１８ｃを矢印Ａの方向へ回動させた際、ストラップ３０における送り面３２の鋸刃と、送りギア１８ｂを構成する複数の歯が連続的に噛み合う鋸刃状に形成されている。ラチェットレバー１８における鋸刃の噛み合い面（掛かり面）と反対側の側面は、ストラップ３０の送り面を構成する鋸刃と噛み合わず、相対的な滑りが生じるように構成されている。このため、ラチェットレバー１８が矢印Ｂの方向へ回動する際には、送り面３２の鋸刃と送りギア１８ｂの歯が互いに滑ると共に、ラチェットレバー１８を支持しているホルダ１６がリンクアーム１６ａの作用により離間する方向（矢印Ｄで示す方向）へ揺動する。このため、ラチェットレバー１８を構成する送りギア１８ｂは、ストラップ３０の送り面３２を構成する鋸刃を乗り越える事ができる。なお、ラチェットレバー１８の送りギア１８ｂの歯が送り面３２を乗り越えた後には、ホルダ１６がリンクアーム１６ａの作用により近接する方向（矢印Ｃで示す方向）へ揺動する。
【００２１】
また、ラチェットレバー１８には、ホルダ１６を支持点として、回転軸１８ａ周りに、レバー本体１８ｃをストラップ３０の送り方向（第１の方向）へ倒しこむ力を加える付勢手段（例えばバネ：不図示）が備えられている。このため、ラチェットレバー１８は、矢印Ａの方向へ回動させられた後、付勢手段の力により矢印Ｂの方向へ押し戻されることとなる。
【００２２】
爪２０は、ストラップ３０の送り面３２に係合し、ストラップ３０の戻り（第２の方向への戻り）を防止する役割を担う。爪２０は、ベース１２から立設された保持部１２ｂに備えられた回転軸２０ａと、この回転軸２０ａ周りに揺動可能な係合部２０ｂと、及び解除部２０ｃを有する。係合部２０ｂは、送り面に係合してストッパーとしての役割を担う。一方、解除部２０ｃは、回転軸２０ａ基点として係合部２０ｂと反対側に位置し、解除部２０ｃを押圧する事で、係合部２０ｂと送り面３２との係合を解除する役割を担う。
【００２３】
また、爪２０には付勢手段（例えばバネ：不図示）が備えられ、係合部２０ｂをベース１２側に押し付ける方向（矢印Ｅで示す方向）の力が加えられている。このような構成の爪２０では、付勢手段による押圧力を超える力で解除部２０ｃを押圧した場合、回転軸２０ａ周りに爪２０全体が矢印Ｆで示す方向に回動し、係合部２０ｂと送り面３２との係合が解除される。
【００２４】
解除機構２２は、ストラップ３０の送り面３２に対するラチェットレバー１８と爪２０の双方の係合を解除するための機構である。本実施形態における解除機構２２は、操作性の簡便化から、ワンアクションで、双方の係合を解除可能な構成とされている。具体的には、ラチェット機構１４のホルダ１６のホルダ本体１６ｂに、押圧部１６ｂ１が設けられており、図２、図３において矢印Ｄで示す方向に、ホルダ１６を引き上げる事で、ラチェットレバー１８が送り面３２から引き上げられると共に、ホルダ本体１６ｂにおけるスライド面１６ｂ２が爪２０の解除部２０ｃを押し込む（図５に示す状態）。この動作により、解除部２０ｃは、スライド面１６ｂ２に沿って摺動するように押し込まれ、爪２０全体が矢印Ｆで示す方向に回動し、係合部２０ｂと送り面３２との係合が解除される。よって、ワンアクションでラチェットレバー１８と爪２０、双方の係合が解除されることとなる。この事より、本実施形態に係る解除機構２２は、ラチェット機構１４を構成するホルダ１６と、爪２０の解除部２０ｃにより構成されるものと言える。
【００２５】
解除保持機構２４は、解除機構２２による解除状態を維持するための機構である。本実施形態のラチェットバックル１０には、ラチェットレバー１８を構成するレバー本体１８ｃにストッパー１８ｃ１が備えられると共に、爪２０にストッパー突起２０ｄが備えられている（本実施形態の場合、係合部２０ｂの上部であって、係合部２０ｂと解除部２０ｃの間）。このような構成のラチェットバックル１０では、ホルダ１６を引き上げる事に起因して爪２０の係合部２０ｂが引き揚げられた際、レバー本体１８ｃのストッパー１８ｃ１に、爪２０のストッパー突起２０ｄが係合し、ホルダ１６の引き上げ状態を維持する事が可能となる。この事より、本実施形態に係る解除保持機構２４は、ラチェット機構１４を構成するレバー本体１８ｃと、爪２０のストッパー突起２０ｄにより構成されるものと言える。
【００２６】
［動作説明］
次に、上記のような構成のラチェットバックル１０を用いたストラップ３０の締め込み、及び解除の動作について説明する。まず、締め込み動作では、図５に示すように、解除保持機構２４を機能させた状態で、ストラップ３０をベース１２に挿入する。ストラップ３０をベース１２に挿入した後、ラチェットレバー１８を図２に示す矢印Ａの方向へ動作させる事で、解除保持機構２４が解除され、爪２０、及びラチェットレバー１８の送りギア１８ｂがストラップ３０の送り面３２に係合する。
【００２７】
爪２０、及びラチェットレバー１８の送りギア１８ｂがストラップ３０の送り面３２に係合した後、ラチェットレバー１８を動作させる事で、ストラップ３０の締め込み（送り込み）が成される（図６参照）。
【００２８】
図７に示すように、ラチェットレバー１８を作動させない状態（レバー本体１８ｃが爪２０側に倒れている状態）では、送りギア１８ｂと送り面３２との係合状態は、必ずしも強固なものではない。しかし、爪２０の係合部２０ｂが付勢手段の力により送り面３２に押し付けられているため、ストラップ３０は、引き戻される事無くロックされる。
【００２９】
次に、ストラップ３０の締め込みを解除する場合には、ラチェット機構１４を構成するホルダ１６の押圧部１６ｂ１を押圧し、ホルダ１６全体を矢印Ｄの方向へ引き上げる（図２、図３参照）。この動作により、ラチェットレバー１８の送りギア１８ｂが送り面３２から引き揚げられると共に、ホルダ１６のスライド面１６ｂ２が爪２０の解除部２０ｃを押圧し、爪２０の係合部２０ｂも送り面３２から引き上げられる。
【００３０】
送り面３２に対するラチェット機構１４、及び爪２０双方の係合が解除された状態に至ると、ラチェットレバー１８のレバー本体１８ｃに形成されたストッパー１８ｃ１に、爪２０のストッパー突起２０ｄが係合し、解除状態が維持されることとなる。このため、ストラップ３０は他に力を加える事なくベース１２（ラチェットバックル１０）から引き抜く事が可能となる。
【００３１】
［効果］
上記のような構成のラチェットバックル１０により、上記のような締付動作、及び締付解除動作を行う事によれば、解除機構２２の作用により、ストラップ３０に対するラチェット機構１４、及び爪２０の係合状態の解除状態をワンアクションで行う事ができる。また、レバー本体１８ｃに設けられたストッパー１８ｃ１と、爪２０に設けられたストッパー突起２０ｄにより構成される解除保持機構２４の作用により、他に力を加える事なく、係合解除の状態を維持する事が可能となる。よって、ストラップ３０の締め付け状態の解除、及び締め付け準備状態へのセットを迅速かつ容易に行う事が可能となる。
【符号の説明】
【００３２】
１０………ラチェットバックル、１２………ベース、１２ａ………受け面、１２ｂ………保持部、１４………ラチェット機構、１６………ホルダ、１６ａ………リンクアーム、１６ｂ………ホルダ本体、１６ｂ１………押圧部、１６ｂ２………スライド面、１８………ラチェットレバー、１８ａ………回転軸、１８ｂ………送りギア、１８ｃ………レバー本体、１８ｃ１………ストッパー、２０………爪、２０ａ………回転軸、２０ｂ………係合部、２０ｃ………解除部、２０ｄ………ストッパー突起、２２………解除機構、２４………解除保持機構、３０………ストラップ、３２………送り面、３４………他方の面。
【図１】
2018094293.tif 000003
【図２】
2018094293.tif 000004
【図３】
2018094293.tif 000005
【図４】
2018094293.tif 000006
【図５】
2018094293.tif 000007
【図６】
2018094293.tif 000008
【図７】
2018094293.tif 000009